(57)【特許請求の範囲】
【請求項１】
上下方向を向く後脚と、その上下方向の中間部に上端部が固定される斜め前下方を向く前脚とからなる家具の脚体において、
前記前脚の上端部に、この部分を左右方向に圧縮して塑性変形させることにより、下方の部分よりも上下幅が広幅で、かつ前記後脚の外側部または内側部と面接触可能な拡幅部を形成し、この拡幅部を、前記後脚における上下方向の中間部の外側部または内側部に結合するとともに、前記後脚の前面と前脚の内側部または外側部とを、補強部材により互いに結合したことを特徴とする家具の脚体。
【請求項２】
後脚及び前脚を角筒状とし、前脚の拡幅部を、左右寸法が後端に向かうにしたがって漸次小をなす扁平な板状としたことを特徴とする請求項１に記載の家具の脚体。
【請求項３】
後脚と前脚と補強部材との結合部を、カバー部材により覆ったことを特徴とする請求項１または２に記載の家具の脚体。
【請求項４】
カバー部材における拡幅部を覆う部分の左右幅を、後端に向かうにしたがって漸次小としたことを特徴とする請求項３に記載の家具の脚体。
【請求項５】
カバー部材における補強部材を内側方より覆う部分の内側面を、後端から前端に向かって漸次外側方に傾斜する傾斜面としたことを特徴とする請求項３または４に記載の家具の脚体。
【請求項６】
カバー部材を、前脚の拡幅部を覆う第１のカバー部材と、補強部材を覆う第２のカバー部材との左右２分割構造とし、これら第１のカバー部材と第２のカバー部材との対向端面のいずれか一方に係合溝を、かつ他方に、前記係合溝に係合する係止爪を設けたことを特徴とする請求項３ないし５のいずれかに記載の家具の脚体。
【発明の詳細な説明】
【技術分野】
【０００１】
本発明は、例えば天板を上下方向を向く不使用位置に回動させて折り畳み、複数のテーブル（机も含む）を前後方向に重ねて、すなわちネスティングして保管しうるようにした家具の脚体に関する。
【背景技術】
【０００２】
このような天板を折り畳み可能としたテーブル等においては、その左右の脚体を、斜め前上方を向く上下方向の後脚と、前下方に傾斜する前脚とからなるものとし、前脚を、後脚の上端部または下端部に、後脚よりも外側に位置するように固定することにより、左右の前脚間の離間寸法を、左右の後脚間のそれよりも大として、複数のテーブル等を、天板を折り畳んだ状態で前後方向から入れ子状に重ねて保管しておけるようにしたものがある（例えば特許文献１〜３参照）。
【先行技術文献】
【特許文献】
【０００３】
【特許文献１】特開２００６−１０２０１２号公報
【特許文献２】特開２００７−２６０２８６号公報
【特許文献３】特開２００７−３０１３０２号公報
【発明の概要】
【発明が解決しようとする課題】
【０００４】
前記特許文献１に記載のテーブルの脚体においては、後脚の上端部の外側面に、前脚の上端部を、単にねじにより固定しただけであるので、万一ねじが弛むと、脚体がぐらつく恐れがある。
【０００５】
特許文献２に記載のテーブルの脚体は、後脚の外側面に上下方向の凹部を設け、この凹部内に前脚の上端部を嵌合してねじ止めしているので、ねじが弛んだとしても、脚体がすぐにぐらつく恐れは小さい。しかしながら、後脚に凹部を設けたり、この凹部に嵌合可能な嵌合部材を前脚の上端部に固着したりする必要があるので、脚体の構造が複雑となり、その製造コストが大となる。
【０００６】
特許文献３に記載の机の脚体においては、後脚の下端部に、前脚の後端部を、外側方から嵌合し、この嵌合部に内側方からねじ止めした板状の固定部材により、後脚を挟持しただけであるので、前脚の後脚への取付強度が小さく、かつ天板等の荷重が取付部に大きな曲げモーメントとして加わるので、強度的に不利である。
【０００７】
また、特許文献１〜３の脚体においては、いずれも、前脚と後脚との連結部やねじ等が外部に露呈しているので、脚体の見栄えが悪い。
【０００８】
本発明は、このような問題点に着目してなされたもので、脚体の構造を簡素化し、かつ後脚に、前脚の上端部を強固に結合しうるようにした家具の脚体を提供することを第１の目的とするとともに、後脚と前脚との結合部を隠蔽して、脚体の見栄えを向上させうるようにした家具の脚体を提供することを第２の目的としている。
【課題を解決するための手段】
【０００９】
前記課題を解決するために、本発明の家具の脚体は、
上下方向を向く後脚と、その上下方向の中間部に上端部が固定される斜め前下方を向く前脚とからなる家具の脚体において、
前記前脚の上端部に、この部分を左右方向に圧縮して塑性変形させることにより、下方の部分よりも上下幅が広幅で、かつ前記後脚の外側部または内側部と面接触可能な拡幅部を形成し、この拡幅部を、前記後脚における上下方向の中間部の外側部または内側部に結合するとともに、前記後脚の前面と前脚の内側部または外側部とを、補強部材により互いに結合したことを特徴としている。
この特徴によれば、後脚には何ら特別な加工等を施す必要がなく、単に前脚の上端部に、下方の部分よりも上下幅が広幅の拡幅部を、圧縮により塑性変形させて形成し、この拡幅部を、後脚の外側部に面接触させて結合しただけであるので、脚体の構造が簡素化し、そのコストを低減することができる。また、後脚に対し拡幅部の接触面積及び結合領域が大きくなるとともに、後脚の前面と前脚の内側部または外側部とを、補強部材により互いに結合しているので、後脚と前脚との結合強度が大となる。
【００１０】
本発明の家具の脚体は、
後脚及び前脚を角筒状とし、前脚の拡幅部を、左右寸法が後端に向かうにしたがって漸次小をなす扁平な板状としたことを特徴としている。
この特徴によれば、後脚に対し前脚の拡幅部を広い面積で面接触させて、広範囲に結合することができるので、後脚と前脚との結合強度がより大となる。
【００１１】
本発明の家具の脚体は、
後脚と前脚と補強部材との結合部を、カバー部材により覆ったことを特徴としている。
この特徴によれば、後脚と前脚と補強部材との結合部がカバー部材により隠蔽され、外部に露呈しないので、脚体の見栄えが向上する。
【００１２】
本発明の家具の脚体は、
カバー部材における拡幅部を覆う部分の左右幅を、後端に向かうにしたがって漸次小としたことを特徴としている。
この特徴によれば、カバー部材における拡幅部を覆う部分が外側方に大きく突出しないので、その部分に物が当たる恐れは小さく、かつ体裁もよくなる。
【００１３】
本発明の家具の脚体は、
カバー部材における補強部材を内側方より覆う部分の内側面を、後端から前端に向かって漸次外側方に傾斜する傾斜面としたことを特徴としている。
この特徴によれば、例えば天板が折り畳み可能な複数のテーブルを前後方向に重ねて保管する際に、前側のテーブルの左右の後脚が、後側のテーブルにおける左右のカバー部材の内側面と接触する恐れが小さくなるので、後脚やカバー部材が傷つきにくく、かつ前後のテーブルを互いに接近させて効率よくネスティングすることができる。
【００１４】
本発明の家具の脚体は、
カバー部材を、前脚の拡幅部を覆う第１のカバー部材と、補強部材を覆う第２のカバー部材との左右２分割構造とし、これら第１のカバー部材と第２のカバー部材との対向端面のいずれか一方に係合溝を、かつ他方に、前記係合溝に係合する係止爪を設けたことを特徴としている。
この特徴によれば、第１のカバー部材と第２のカバー部材とを、後脚と前脚と補強部材との結合部に、左右方向から容易に、かつ互いに連結させて装着することができる。
【図面の簡単な説明】
【００１５】
【図１】本発明の脚体構造の実施例を適用した折り畳みテーブルを斜め前方より見た斜視図である。
【図２】本発明の脚体を外側方より見た拡大斜視図である。
【図３】同じく、内側方より見た拡大斜視図である。
【図４】後脚と前脚との結合部の拡大横断端面図である。
【図５】図１のV−V線に沿う拡大縦断端面図である。
【発明を実施するための形態】
【００１６】
本発明に係る家具の脚体を実施するための形態を実施例に基づいて以下に説明する。
【実施例】
【００１７】
図１は、本発明を適用した折り畳みテーブルを斜め前方より見た斜視図で、この折り畳みテーブル１は、上端部の対向面同士が横連結杆２により連結された左右１対の脚体３、３と、両脚体３の上端部に回動可能に取り付けられたブラケット（図示略）に、水平をなす使用位置と、脚体３の後側において起立する折り畳み位置との間を回動しうるように取り付けられた天板４とを備えている。
【００１８】
左右の脚体３、３は、図２及び図３にも拡大して示すように（左右対称につき、左方の脚体のみ図示する）、斜め前上方を向いて傾斜する上下方向の後脚５と、その上下方向の中間部の外側面に、側面視ほぼ「人」の字状をなすように上端部（後端部）が固着された斜め前下方を向く前脚６とからなり、後脚５と前脚６の下端には、キャスタ７が取り付けられている。後脚５と前脚６とは、互いに溶接可能な金属、例えば鉄等の金属材により角筒状に形成されている。
【００１９】
前脚６の上端部には、その部分をプレス等により左右方向に圧縮して塑性変形させることにより、下方の部分よりも上下幅が広幅の拡幅部６ａが形成されている。この拡幅部６ａは、左右寸法（厚さ）が後端に向かうにしたがって漸次小をなす扁平な板状とされ、その内側面（内側部）は、後脚５の外側面（外側部）と面接触するように、垂直面としてある。拡幅部６ａの外側面の凹部８は、後端部の厚さを薄肉にするためと、内側面を垂直面とするためのプレスによる押圧痕である。
【００２０】
前記拡幅部６ａの内側面を、後脚５の上下方向の中間部の外側面に当接させ、互いの接触部の周縁を溶接することにより、後脚５の外側面に、前脚６の上端部が、側面視「人」の字状をなすように結合されている。なお、接触部の周縁を溶接するのに加えて、凹部８が形成された部分を、スポット溶接等により固着してもよい。このようにすると、後脚５に対し拡幅部６ａを強固に結合することができる。
【００２１】
後脚５と前脚６との結合部において、それらの前面と内側面とは、左右寸法が後端から前端に向かって漸次小とされた、平面視直角三角形状の補強部材９により互いに結合されている（図３参照）。すなわち、補強部材９の後端面と外側面とを、それぞれ後脚５の前面と前脚６の内側面とに溶接することにより、それらの前面と内側面とが互いに結合されている。後脚５と前脚６と補強部材９との結合部は、合成樹脂製のカバー部材１０により覆われている。
【００２２】
図２〜図５に示すように、カバー部材１０は、前脚６における拡幅部６ａを含む上端部を外側方より覆う第１のカバー部材１１と、補強部材９を内側方より覆う第２のカバー部材１２との左右２分割構造とされている。
【００２３】
第１及び第２のカバー部材１１、１２は、それぞれ、側片１１ａ、１２ａと、上片１１ｂ、１２ｂと、下片１１ｃ、１２ｃとを備え、縦断面形は、互いに対向するコ字状をなしている。第１のカバー部材１１の後端には、拡幅部６ａを後方より覆う短寸の後片１１ｄが、内側方に向かって連設されている。
【００２４】
前述したように、拡幅部６ａの左右寸法を後端に向かうにしたがって漸次小をなす扁平な板状とすると、第１のカバー部材１１の側片１１ａを、後端に向かうにしたがって漸次内側方に傾斜させて、第１のカバー部材１１の拡幅部６ａを覆う部分の左右幅を、後端に向かうにしたがって漸次小とすることができる。このようにすると、第１のカバー部材１１における拡幅部６ａを覆う部分が外側方に大きく突出しないので、その部分に物が当たる恐れは小さく、かつ体裁もよくなる。
【００２５】
第２のカバー部材１２は、補強部材９を内側方から覆うようにして、後脚５の前面と前脚６の内側面とに当接させて取り付けられるもので、その内側面、すなわち側片１２ａは、後端から前端に向かって漸次外側方に傾斜させてある。このように側片１２ａを傾斜させると、複数の折り畳みテーブル１を前後方向に重ねて保管する際に、前側のテーブルの左右の後脚５が、後側のテーブルにおける左右の第２のカバー部材１２の側片１２ａと接触する恐れが小さくなるので、後脚５や第２のカバー部材１２が傷つきにくく、かつ前後のテーブルを互いに接近させて効率よくネスティングすることができる。
【００２６】
図３及び図５に示すように、第１のカバー部材１１における上片１１ｂと下片１１ｃの前半部の右側縁には、上下方向に弾性変形可能な前後２個ずつの係止爪１３、１３が、内側方に突出させて連設されている。また、第２のカバー部材１２における上片１２ｂと下片１２ｃの左端部の内面には、前記第１のカバー部材１１の各係止爪１３、１３に係合可能な係合溝１４が、前後２個ずつ形成されている。
【００２７】
第２のカバー部材１２の側片１２ａの下端には、位置決め片１５が斜め下向きに突設され、この位置決め片１５の下端部の外側面には、図４に示すように、前脚６の内側面に形成された係合孔１６に係止可能な下向き鉤状断面の係止フック１７が突設されている。なお、係止フック１７を係合孔１６に容易に係止するために、位置決め片１５を、基端部を中心として厚さ方向に弾性変形しうるようにするのが好ましい。
【００２８】
第１及び第２のカバー部材１１、１２を装着するには、まず第１のカバー部材１１を、前脚６の拡幅部６ａを含む上端部に外側方より被せる。
【００２９】
次いで、第２のカバー部材１２における位置決め片１５の係止フック１７を、前脚６の係合孔１６に係合させ、第２のカバー部材１２を前脚６の長手方向に位置決めする。この状態で、第２のカバー部材１２を補強部材９に内側方より被せ、図５に示すように、第２のカバー部材１２の上片１２ｂと下片１２ｃに設けた各係合溝１４に、第１のカバー部材１１の各係止爪１３を弾性的に係合させる。これにより、第１のカバー部材１１と第２のカバー部材１２とが互いに連結されるとともに、第１及び第２のカバー部材１１、１２により、後脚５と前脚６と補強部材９との結合部が覆われる。
【００３０】
以上説明したように、前記実施例の脚体構造においては、後脚５には何ら特別な加工等を施す必要がなく、単に前脚５の上端部に、下方の部分の上下幅よりも広幅の拡幅部６ａを、圧縮により塑性変形させて形成し、この拡幅部６ａを、後脚５の外側面に面接触させて溶接により結合しただけであるので、後脚５及び前脚６の構造が簡素化し、脚体３のコストが低減する。
【００３１】
また、後脚５に対し拡幅部６ａの接触面積及び溶接領域が大きくなるとともに、後脚５の前面と前脚６の内側面とを、補強部材９により互いに結合しているので、後脚５と前脚６との結合強度が大となる。
【００３２】
さらに、後脚５と前脚６と補強部材９との結合部や溶接部は、カバー部材１０により隠蔽され、外部に露呈しないので、脚体３の見栄えが向上する。
【００３３】
カバー部材１０は、第１のカバー部材１１と第２のカバー部材１２との左右２分割構造とされ、かつそれらの上片１１ｂ、１２ｂと下片１１ｃ、１２ｃとの対向部に設けた係止爪１３と係合溝１４とを互いに係合させることにより、第１のカバー部材１１と第２のカバー部材１２とを連結しうるようにしてあるので、第１及び第２のカバー部材１１、１２を、後脚５と前脚６と補強部材９との結合部に、左右方向から容易に装着することができる。
【００３４】
なお、前記実施例では、前脚６の拡幅部６ａを、後脚５の外側面に結合したが、後脚５の内側面に結合してもよい。この際、補強部材９は、後脚５の前面と前脚６の外側面とに結合される。
【００３５】
また、前記実施例では、後脚５及び前脚６を、互いの結合部の接触面積を大とするために、角筒状をなすものとしたが、円形パイプや楕円パイプ等を使用することもできる。この際には、拡幅部６ａにおける後脚５の外側面（外側部）（または内側面（内側部））と対向する側面（側部）を、丸パイプや楕円パイプ等の後脚と面接触可能な曲面形状とすればよい。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例のような折り畳みテーブル１に限定されるものではなく、通常の天板固定式のテーブルや机等の脚体にも適用することができる。
【００３８】
また、前記実施例では、前脚６の拡幅部６ａを、後脚５の外側面に当接させ、互いの接触部の周縁を溶接することによって結合させているが、この結合手段は、溶接によるものに限らず、例えば、拡幅部６ａの面積の広さを利用して、この拡幅部６ａと後脚５の外側面とをネジ等の螺合部材により結合させるようにしてもよい。
【符号の説明】
【００３９】
１                折り畳みテーブル
２                横連結杆
３                脚体
４                天板
５                後脚
６                前脚
８                凹部
９                補強部材
１０              カバー部材
１１              第１のカバー部材
１２              第２のカバー部材
１３              係止爪
１４              係合溝
１５              位置決め片
１６              係合孔
１７              係止フック
【図１】
0005656558.tif 000002
【図２】
0005656558.tif 000003
【図３】
0005656558.tif 000004
【図４】
0005656558.tif 000005
【図５】
0005656558.tif 000006